(57)【要約】【課題】操作が簡便で、時短及び省エネ効果を備えるスチーム調理鍋フレームユニットを提供する。【解決手段】スチーム調理鍋フレームユニットＡはスチームフレーム１及び複数の鍋容器２により構成される。スチームフレーム１には複数の収納区画１２及び複数のサポートスタンド１３を設置する。鍋容器２は収納区画１２に対応して設置される。上記した構造により一度のスチーム調理で、多種の料理と食材の調理を完成でき、現代人の調理ニーズに応え、操作が簡便で、時短及び省エネの効果を備える。【選択図】図１
0003203316.tif 000002
【実用新案登録請求の範囲】
【請求項１】
スチーム調理鍋フレームユニットであって、スチームフレーム及び複数の鍋容器を有し、
前記スチームフレームの頂側には、搭載部を設置し、前記搭載部には、複数の収納区画を形成し、
前記鍋容器は、上方に開口を備える容器で、その内部には、内容空間を設置し、食材を入れ、
前記鍋容器を前記スチームフレームの収納区画に収容することを特徴とするスチーム調理鍋フレームユニット。
【請求項２】
前記搭載部には、少なくとも１個のサポートリブを設置することを特徴とする請求項１に記載のスチーム調理鍋フレームユニット。
【請求項３】
前記搭載部周縁には、複数のサポートスタンドが下方へとさらに延伸することを特徴とする請求項１に記載のスチーム調理鍋フレームユニット。
【請求項４】
前記鍋容器の開口には、鍋蓋をさらに設置することを特徴とする請求項１に記載のスチーム調理鍋フレームユニット。
【請求項５】
前記スチームフレームの搭載部の表面には、鍋具の平面を載せることができことを特徴とする請求項１に記載のスチーム調理鍋フレームユニット。
【請求項６】
前記スチームフレーム及び複数の鍋容器は、一体成型であることを特徴とする請求項１に記載のスチーム調理鍋フレームユニット。
【請求項７】
前記鍋容器は、その開口の外周縁に、少なくとも１個の外フランジをさらに設置し、
これにより前記搭載部に接触することを特徴とする請求項１に記載のスチーム調理鍋フレームユニット。
【請求項８】
前記鍋容器は、その開口の外周縁に、少なくとも１個の外フランジをさらに設置し、
前記外フランジには、穿孔を備える２個の提げ耳を設置し、持ち手両端の端部を前記提げ耳に挿入することを特徴とする請求項１に記載のスチーム調理鍋フレームユニット。
【考案の詳細な説明】
【技術分野】
【０００１】
本考案はスチーム調理鍋フレームユニットに関し、特に多種の料理と食材調理を一度に完成でき、これにより現代人の調理ニーズに応え、操作が簡便で、時短及び省エネの効果を備えるスチーム調理鍋フレームユニットに関する。
【背景技術】
【０００２】
社会人口構造の変化に従い、二、三人だけの核家族や単身生活者が増えており、これらは既に現代社会における普遍的な現象となっている。これら人口が少ない家庭或いは単身者にとって、毎日の食事の調理は不便である。その主因は、調理する食材量は少なくとも、調理全体の時間とプロセスは少しも短くならない点にある。多様な料理を食したいという基本的なニーズに応えるためには、一種類ずつ調理していくほかない。このような調理法は、人口が少ない家庭或いは単身者にとっては、時間がかかり、またエネルギーの無駄遣いである。そのため、自宅で全く料理せず、外食一辺倒により、三食を済ませる人も多い。
【０００３】
しかし、最近では食の安全に関わる問題が次々に発生し、外食の安全性に対して、不安が広がっている。それにより、台所で、自分の手で料理し、食の安全を確保しようという人も増えている。けれども、煩雑な調理過程は、非常に面倒な頭痛の種である。調理の面倒と不便を省こうと、最も簡単な方法で、適当にご飯を炊き、一種類の料理を用意し、それで一食を済ませようという人もいる。この種のやり方は、面倒と不便を省くことはできるが、これが続けば栄養のバランスは必ず崩れるため、あまり良い食事方法とは言えない。
【０００４】
これら調理における不便を解消するため、電気釜、圧力鍋或いは電子レンジなどをスチーム調理器具とする方法もある。これらは、便利でスピーディな調理法であり、しかもスチーム調理は油の量を減らすヘルシーな調理をも達成できる。しかし、電気釜であろうと、圧力鍋或いは電子レンジであろうと、スチーム調理する際には従来の器具には制限がある。それは、一度に一〜二種の料理しか調理できないということである。
【考案の概要】
【考案が解決しようとする課題】
【０００５】
本考案の目的は、多種の料理と食材調理を一度に完成でき、これにより現代人の調理ニーズに応えられ、操作が簡便で、時短及び省エネの効果を備えるスチーム調理鍋フレームユニットに関する。
【課題を解決するための手段】
【０００６】
上述の目的を達成するため、本考案によるスチーム調理鍋フレームユニットは、スチームフレーム及び複数の鍋容器を有する。
該スチームフレームの頂側には、搭載部を設置し、該搭載部には、複数の収納区画を形成する。
該鍋容器は、上方に開口を備える容器で、その内部には、内容空間を設置し、食材を入れる。該鍋容器を該スチームフレームの収納区画に収容する。
【０００７】
本考案によるスチーム調理鍋フレームユニットにおいて、該搭載部には、少なくとも１個のサポートリブを設置する。
【０００８】
本考案によるスチーム調理鍋フレームユニットにおいて、該搭載部の周縁には、複数のサポートスタンドが下方へとさらに延伸する。
【０００９】
本考案によるスチーム調理鍋フレームユニットにおいて、該鍋容器の開口には、鍋蓋をさらに設置する。
【００１０】
本考案によるスチーム調理鍋フレームユニットにおいて、該スチームフレームの搭載部の表面には、鍋具の平面を載せることができる。
【００１１】
本考案によるスチーム調理鍋フレームユニットにおいて、該スチームフレーム及び複数の鍋容器は、一体成型である。
【００１２】
本考案によるスチーム調理鍋フレームユニットにおいて、該鍋容器の開口の外周縁には、少なくとも１個の外フランジをさらに設置し、これにより該搭載部に接触する。
【００１３】
本考案によるスチーム調理鍋フレームユニットにおいて、該外フランジには、穿孔を備える２個の提げ耳をさらに設置し、持ち手両端の端部を該提げ耳に挿入する。
【考案の効果】
【００１４】
本考案のスチーム調理鍋フレームユニットは、多種の料理と食材調理を一度に完成でき、これにより現代人の調理ニーズに応えられ、操作が簡便で、時短及び省エネの効果を備える。
【図面の簡単な説明】
【００１５】
【図１】本考案の立体分解模式図である。
【図２】本考案の立体模式図である。
【図３】本考案の別種の実施形態（一）の立体模式図である。
【図４】本考案による実施形態模式図である。
【図５】本考案の別種の実施形態（二）の断面模式図である。
【考案を実施するための形態】
【００１６】
図１、図２に示す通り、本考案のスチーム調理鍋フレームユニットＡは、スチームフレーム１及び複数の鍋容器２を有する。
スチームフレーム１の頂側には、搭載部１１を設置し、搭載部１１には、少なくとも１個のサポートリブ１１１を設置し、複数の収納区画１２を形成する。搭載部１１周縁には、複数のサポートスタンド１３が下方へと延伸する。
鍋容器２は、上方に開口を備える容器で、その内部には、内容空間２０を設置し、食材を入れる。鍋容器２は、その開口の外周縁に、少なくとも１個の外フランジ２１をさらに設置する。これにより搭載部１１に接触し、鍋容器２を支え、スチームフレーム１の収納区画１２に収容する。
【００１７】
外フランジ２１には、穿孔を備える２個の提げ耳２２を設置し、持ち手２３両端の端部２３１を提げ耳２２に挿入する。これにより、持ち手２３を利用し、鍋容器２を収納区画１２中から取り上げる。
【００１８】
鍋容器２の開口には、さらに鍋蓋２４を設置して蓋をする。鍋蓋２４上表面には、穿孔を備える固定柱２４１を固定して設置し、持ち上げリング２４２を通して定位する。
持ち上げリング２４２を利用し、便利に該鍋蓋２４を持ち上げ、或いは該鍋容器２の開口に蓋をすることができる。
【００１９】
鍋容器２の外周縁の形状は、扇形（本考案では扇形を例とする）、円形、楕円形、半円形、多辺形或いは他の幾何形状である。鍋蓋２４の形状は、鍋容器２外周縁の形状と対応し、これにより鍋容器２の開口を密封することができる。
【００２０】
図３に示す通り、本考案の別種の実施形態（一）では、スチームフレーム１の搭載部１１の表面には、鍋具の平面を載せることができ、鍋体３を上に置くことで、調理する料理を一種類増やすことができる。
【００２１】
図４に示す通り、上記した部材により構成される本考案において、スチーム調理時には、先ずスチームフレーム１を加熱器具Ｂ（電気釜、圧力鍋或いは者電子レンジ等）内に入れる。次に、料理、スープ、米等食材をそれぞれ各鍋容器２内に入れ、各鍋容器２をスチームフレーム１の各収納区画１２中に入れる。続いて、鍋蓋２４で蓋をし、加熱器具Ｂをオンにし加熱スチーム調理を始める。こうして、一度に料理、スープ、ご飯などの多種のスチーム調理を同時に進行することができる。
好ましくは、１個の鍋容器２でご飯を炊き、１個の鍋容器２でスープを煮て、別の２個の鍋容器２で煮込み料理を行うことができる。このような配置で、一度のスチーム調理で、同時に多種の料理、スープ及びご飯の調理を完成させられる。多種の食材を一度に調理できるこの種のスチーム調理鍋フレームユニットＡは、現代の人口が少ない家庭及び単身者に、調理の利便性を提供でき、しかも操作は非常に簡便で、時短と省エネも達成できる。
【００２２】
図５に示す通り、本考案の別種の実施形態（二）では、スチームフレーム１と複数の鍋容器２を一体成型とすることができる。これにより、各鍋容器２には同様にそれぞれ各種食材を入れ、一度のスチーム調理で、同時に多種の料理、スープ及びご飯の調理を完成することができる。
【００２３】
上記を総合すると、本考案のスチーム調理鍋フレームユニットは、現代の人口が少ない家庭及び単身者の調理の不便を解決でき、一度のスチーム調理で、多種の料理と食材調理を同時に完成させる利便性を達成できる。
【００２４】
本考案は確実に予期された作用効果と目的を達成し、並びにこの技術に習熟した者がこれをもとに実施できるほどに詳細に説明されたが、以上は本考案の好ましい実施例の説明に過ぎず、並びに本考案を限定するものではなく、本考案に提示の精神より逸脱せずに完成されるその他の同等の効果の修飾或いは置換は、いずれも本考案の権利請求範囲内に属する。
【符号の説明】
【００２５】
Ａ  スチーム調理鍋フレームユニット
Ｂ  加熱器具
１  スチームフレーム
１１  搭載部
１１１  サポートリブ
１２  収納区画
１３  サポートスタンド
２  鍋容器
２０  内容空間
２１  外フランジ
２２  提げ耳
２３  持ち手
２３１  端部
２４  鍋蓋
２４１  固定柱
２４２  持ち上げリング
３  鍋体
【図１】
0003203316.tif 000003
【図２】
0003203316.tif 000004
【図３】
0003203316.tif 000005
【図４】
0003203316.tif 000006
【図５】
0003203316.tif 000007